(57)【要約】【課題】コンテンツ再生装置において、所定量の早送りや巻戻しを簡便な操作で行うことができるようにする。【解決手段】コンテンツデータを記憶する記憶手段と、前記記憶手段により記憶されているコンテンツデータに基づき、コンテンツの再生を行う再生手段とを備えたコンテンツ再生装置において、所定の操作面上で円弧状に移動された指先の移動軌跡の中心角に対応する量を、所定の離散量（１／４回転、半回転、１回転）に丸めたものとして取得する中心角対応量取得手段と、中心角対応量取得手段により得られた量に対応する変位量（００;１５、００:３０、０１:００）だけ、再生手段による再生中の再生位置を変位させる変位手段とを設け、前記所定の離散量は、各離散量を指先の移動によって任意に指示可能な程度に離散的なものとする。【選択図】図３
2009238309.tif 000002
【特許請求の範囲】
【請求項１】
コンテンツデータを記憶する記憶手段と、
前記記憶手段により記憶されているコンテンツデータに基づき、コンテンツの再生を行う再生手段と、
所定の操作面上で円弧状に移動された指先の移動軌跡の中心角に対応する量を、所定の離散量に丸めたものとして取得する中心角対応量取得手段と、
前記中心角対応量取得手段により得られた量に対応する変位量だけ、前記再生手段による再生中の再生位置を変位させる変位手段とを備え、
前記所定の離散量は、各離散量を前記指先の移動によって任意に指示可能な程度に離散的なものであることを特徴とするコンテンツ再生装置。
【請求項２】
前記所定の操作面は前記指先の移動により回転する回転体により構成されており、
前記中心角に対応する量は、前記回転体の回転量であることを特徴とする請求項１に記載のコンテンツ再生装置。
【請求項３】
前記所定の操作面は、前記円弧状の指先の移動に際し、各移動位置に関する情報を出力するタッチパネルにより構成されており、
前記中心角に対応する量は、前記タッチパネルが出力する各移動位置に関する情報に基づいて得られるものであることを特徴とする請求項１に記載のコンテンツ再生装置。
【請求項４】
前記円弧状の移動軌跡の半径に対応する量を、所定の離散量に丸めたものとして取得する半径対応量取得手段と、
前記半径対応量取得手段により得られた量に基づいて前記変位量の単位を設定する単位設定手段とを有し、
前記半径に対応する量についての所定の離散量は、各離散量を前記指先の移動に際して任意に指示可能な程度に離散的なものであることを特徴とする請求項３に記載のコンテンツ再生装置。
【請求項５】
前記指先の移動の速度に対応する量を、所定の離散量に丸めたものとして取得する速度対応量取得手段と、
前記速度対応量取得手段により得られた量に基づいて前記変位量の単位を設定する単位設定手段とを有し、
前記移動速度に対応する量についての所定の離散量は、各離散量を前記指先の移動に際して任意に指示可能な程度に離散的なものであることを特徴とする請求項１〜４のいずれか１項に記載のコンテンツ再生装置。
【請求項６】
前記回転体は回転軸方向における第１の位置及び第２の位置において前記指先の移動により回転するものであり、
前記変位量が前記第１の位置又は第２の位置のいずれに係るものであるかに応じ、前記変位量の単位を変更する単位変更手段を有することを特徴とする請求項２に記載のコンテンツ再生装置。
【請求項７】
前記円弧状の移動のために前記所定の操作面上において最初に指先が触れた位置を基準とする前記変位量に対応する目盛りを、前記指先の移動により前記変位量を指示するための目安となるように表示する手段を有することを特徴とする請求項１〜６のいずれか１項に記載のコンテンツ再生装置。
【請求項８】
コンテンツデータを記憶する記憶工程と、
前記記憶手段により記憶されているコンテンツデータに基づき、コンテンツの再生を行う再生工程と、
所定の操作面上で円弧状に移動された指先の移動軌跡の中心角に対応する量を、所定の離散量に丸めたものとして取得する中心角対応量取得工程と、
前記中心角対応量取得工程により得られた量に対応する変更量だけ、前記再生工程による再生中の再生位置を変位させる変位工程とを備え、
前記所定の離散量は、各離散量を前記指先の移動によって任意に指示可能な程度に離散的なものであることを特徴とするコンテンツ再生方法。
【発明の詳細な説明】
【技術分野】
【０００１】
本発明は、コンテンツデータに基づき、コンテンツの再生を行うコンテンツ再生装置及びコンテンツ再生方法に関する。
【背景技術】
【０００２】
従来、楽曲データに基づいて楽曲の再生を行うポータブルプレーヤにおいては、早送りや巻戻しは、所定のキーを長押しすることにより行うことができるようになっている。また、デジタルターンテーブルにおいては、任意のキューポイントを設定し、設定したキューポイントから直ちに演奏を開始させることができるようになっている。また、ターンテーブルを手で回転させる場合には、曲の演奏位置をディスプレイの表示により確認することができるようになっている。
【０００３】
また、早送りや巻戻しに関する技術として、特許文献１には、再生中に早送りキー又は巻戻しキーの操作があると、それらが何回連続して操作されたかを検出し、早送り再生又は巻戻し再生の速度を決定し、決定した速度による早送り再生又は巻戻し再生を行う技術が記載されている。また、通常早送りキー又は通常巻戻しキーの操作があると、メモリに記憶されている速度で早送り再生又は巻戻し再生を行う技術が記載されている。
【０００４】
【特許文献１】特開２００２−４２４０４号公報
【発明の開示】
【発明が解決しようとする課題】
【０００５】
しかしながら、上述従来のポータブルプレーヤによれば、所定量だけ早送りや巻戻しを行う場合、モニタに表示される再生位置を確認しながら所定キーの長押しを行い、所定量変位した再生位置が表示されたところで長押しを解除する必要がある。このため、ダンスの練習時のように早送りや巻戻しを多用する場面においては、早送りや巻戻しにより所定量だけ再生位置を変位させる操作は非常に煩雑である。ポータブルプレーヤを持ちながらダンスの練習をする場合にはそのような操作は困難となる。
【０００６】
また、上述従来のデジタルターンテーブルによれば、キューポイントの設定は絶対位置を設定するものであるため、これによって再生位置を所定量だけ変位させることはできない。また、ターンテーブルを手で回して再生位置を所定量だけ変位させるには、やはりディスプレイにより再生位置を確認しながら行う必要がある。
【０００７】
また、上述の早送り再生又は巻戻し再生を行う技術によれば、早送り再生又は巻戻し再生の速度の決定は容易となるが、その技術は再生位置を所定量だけ変位させるものではない。
【０００８】
本発明の目的は、このような従来技術の問題点に鑑み、コンテンツ再生装置において、所定量の早送りや巻戻しを簡便な操作で行うことができるようにすることにある。
【課題を解決するための手段】
【０００９】
この目的を達成するため、第１の発明に係るコンテンツ再生装置は、コンテンツデータを記憶する記憶手段と、前記記憶手段により記憶されているコンテンツデータに基づき、コンテンツの再生を行う再生手段と、所定の操作面上で円弧状に移動された指先の移動軌跡の中心角に対応する量を、所定の離散量に丸めたものとして取得する中心角対応量取得手段と、前記中心角対応量取得手段により得られた量に対応する変位量だけ、前記再生手段による再生中の再生位置を変位させる変位手段とを備え、前記所定の離散量は、各離散量を前記指先の移動によって任意に指示可能な程度に離散的なものであることを特徴とす。
【００１０】
第２の発明に係るコンテンツ再生装置は、第１発明において、前記所定の操作面は前記指先の移動により回転する回転体により構成されており、前記中心角に対応する量は、前記回転体の回転量であることを特徴とする。
【００１１】
第３の発明に係るコンテンツ再生装置は、第１発明において、前記所定の操作面は、前記円弧状の指先の移動に際し、各移動位置に関する情報を出力するタッチパネルにより構成されており、前記中心角に対応する量は、前記タッチパネルが出力する各移動位置に関する情報に基づいて得られるものであることを特徴とする。
【００１２】
第４の発明に係るコンテンツ再生装置は、前記円弧状の移動軌跡の半径に対応する量を、所定の離散量に丸めたものとして取得する半径対応量取得手段と、前記半径対応量取得手段により得られた量に基づいて前記変位量の単位を設定する単位設定手段とを有し、前記半径に対応する量についての所定の離散量は、各離散量を前記指先の移動に際して任意に指示可能な程度に離散的なものであることを特徴とする。
【００１３】
第５の発明に係るコンテンツ再生装置は、前記指先の移動の速度に対応する量を、所定の離散量に丸めたものとして取得する速度対応量取得手段と、前記速度対応量取得手段により得られた量に基づいて前記変位量の単位を設定する単位設定手段とを有し、前記移動速度に対応する量についての所定の離散量は、各離散量を前記指先の移動に際して任意に指示可能な程度に離散的なものであることを特徴とする。
【００１４】
第６の発明に係るコンテンツ再生装置は、第２発明において、前記回転体は回転軸方向における第１の位置及び第２の位置において前記指先の移動により回転するものであり、前記変位量が前記第１の位置又は第２の位置のいずれに係るものであるかに応じ、前記変位量の単位を変更する単位変更手段を有することを特徴とする。
【００１５】
第７の発明に係るコンテンツ再生装置は、第１〜第６のいずれかの発明において、前記円弧状の移動のために前記所定の操作面上において最初に指先が触れた位置を基準とする前記変位量に対応する目盛りを、前記指先の移動により前記変位量を指示するための目安となるように表示する手段を有することを特徴とする。
【００１６】
第８の発明に係るコンテンツ再生方法は、コンテンツデータを記憶する記憶工程と、前記記憶手段により記憶されているコンテンツデータに基づき、コンテンツの再生を行う再生工程と、所定の操作面上で円弧状に移動された指先の移動軌跡の中心角に対応する量を、所定の離散量に丸めたものとして取得する中心角対応量取得工程と、前記中心角対応量取得工程により得られた量に対応する変更量だけ、前記再生工程による再生中の再生位置を変位させる変位工程とを備え、前記所定の離散量は、各離散量を前記指先の移動によって任意に指示可能な程度に離散的なものであることを特徴とする。
【発明の効果】
【００１７】
本発明によれば、所定量の早送りや巻戻しを簡便な操作で行うことができる。
【発明を実施するための最良の形態】
【００１８】
図１は、本発明の第１の実施形態に係るデジタルオーディオプレーヤの四面図である。同図（ａ）は左面図、同図（ｂ）は前面図、同図（ｃ）は後面図、そして同図（ｄ）は下面図である。同図に示すように、このプレーヤは、プレーヤを操作するためのコントロールエリア１１、所定量の早送りや巻戻しを行うためのターンディスク１２、再生音を出力するためのスピーカ１３、再生時間等を表示するためのディスプレイ１４、プレーヤに電力を供給するバッテリ１５、プレーヤを保護するプロテクトフレーム１６、及びプレーヤを保持するためのハンドル１７を備える。
【００１９】
図２はデジタルオーディオプレーヤの構成を示すブロック図である。同図に示すようにこのプレーヤは、プレーヤ各部を制御し、必要な情報処理を行う処理部２１、楽曲データを記憶し、処理部２１に供給する記憶部２２、ユーザが処理部２１に対して指示操作を行うための操作部２３、処理部２１がユーザに対して必要な情報の表示を行うための表示部２４、処理部２１からの音声信号に基づき音声を出力する音声出力部２５、再生中にユーザが所定量の早送り又は巻戻しを処理部２１に対して指示するためのロータリエンコーダ２６を備える。
【００２０】
操作部２３は図１のコントロールエリア１１に設けられた各種操作キーを備え、各操作キーにより各種指示を受け入れて処理部２１に供給する。表示部２４は図１のディスプレイ１４を備え、処理部２１から供給される楽曲データに基づいた情報の表示をディスプレイ１４に表示させる。音声出力部２５は図１のスピーカ１３を備え、処理部２１が供給する音声信号を音声に変換して出力する。ロータリエンコーダ２６は、図４に示すように、図１のターンディスク１２に接続されており、ユーザが指先で回転させるターンディスク１２の回転量に応じた数のパルスを処理部２１に供給する。
【００２１】
処理部２１は操作部２３からのユーザ指示に応じ、記憶部２２の楽曲データに基づき、音声信号を再生し、音声部出力部２５により再生音を出力する。その際、ユーザが指先でターンディスク１２を回転させると、その回転量に応じたロータリエンコーダ２６からの出力パルスに基づき、早送り又は巻戻しの時間を決定し、その時間分だけ、再生ポイントを前後させ、再生を続行する。
【００２２】
図３はターンディスク１２の回転量と、早送り又は巻戻し時間との関係を示す。同図（ａ）はターンディスク１２がまだ回転されていない状態、同図（ｂ）は時計方向に１／４回転され、１５秒早送りされるときの様子、同図（ｃ）は時計方向に１／２回転され、３０秒早送りされるときの様子、そして同図（ｄ）は時計方向に１回転され、１分早送りされるときの様子を示している。このようにターンディスク１２が時計方向に１／４回転、半回転、又は１回転されると、プレーヤはそれぞれ１５秒、３０秒、又は１分だけ、現在の再生位置から早送りする。反時計方向に回転される場合には、１／４回転、半回転、又は１回転されると、プレーヤはそれぞれ１５秒、３０秒、又は１分だけ、現在の再生位置から巻戻しする。
【００２３】
このように、１／４回転又は半回転毎に巻戻し又は早送り量を変化させるようにしたのは、１／４回転や半回転であれば指先による操作で区別可能であり、ユーザが容易に１／４回転、半回転、又は１回転を指示することができるからである。これとは異なり、たとえば１／８回転毎に巻戻し又は早送り量を変化させるようにとすると、１／８回転させたか又は２／８回転させたかの区別が、指先の操作によっては困難になり、所望の巻戻し又は早送り量を指示することが困難となる。
【００２４】
これを実現するために、処理部２１は、記憶部２２の楽曲データに基づいて楽曲の再生を行っているとき、ターンディスク１２が指先で操作されると、ロータリエンコーダ２６の出力に基づき、ターンディスク１２の回転量を、１／４回転、１／２回転、又は１回転といった離散量に丸めて取得する。すなわち、ロータリエンコーダ２６の出力が示す回転量Ｘが１／８≦Ｘ＜３／８であれば１／４回転とし、３／８≦Ｘ＜６／８であれば半回転とし、６／８≦Ｘ＜１０／８であれば１回転とするというように、四捨五入的に丸めて取得する。そして、得られた量に対応付けられた量だけ、早送り又は巻戻しを行う。すなわち、得られた離散量が１／４回転であれば１５秒、半回転であれば３０秒、１回転であれば１分だけ再生位置を前又は後の位置に変更する。そして、変更した再生位置から再生を続行する。なお、ターンディスク１２が指先で操作されるとき、指先は円弧状に移動し、それに伴って回転するターンディスク１２の回転量は、円弧状に移動された指先の移動軌跡の中心角に対応する量となる。
【００２５】
したがって、ユーザは、ハンドル１７を掴んでデジタルオーディオプレーヤを保持し、該プレーヤにより楽曲を再生しながらダンスの練習を行っている際に、今再生した楽曲部分がうまくいかないと思った場合には、ターンディスク１２を指先で反時計方向に１／４回転、半回転、又は１回転させるだけで、直ちに１５秒、３０秒、又は１分だけ巻き戻して再生し、やり直すことができる。
【００２６】
本実施形態によれば、ターンディスク１２の回転量を１／４回転、半回転、又は１回転といった離散量に変換し、１５秒、３０秒、又は１分だけ、回転方向に応じて早送り又は巻戻しするようにしたため、ユーザは１５秒、３０秒、又は１分の早送りや巻戻しを簡便な操作で行うことができる。その際に、１／４回転、半回転、及び１回転といった離散量は、各離散量である１／４回転、半回転、又は１回転を指先の移動によって任意に指示可能な程度に離散的なものであるため、ユーザは確実に、各離散量を選択的に指示し、対応する早送り又は巻戻し量を指定することができる。
【００２７】
図５は本発明の第２の実施形態に係るデジタルオーディオプレーヤにおけるタッチパネル部分を示す。このプレーヤにおいては、第１実施形態におけるターンディスク１２及びロータリエンコーダ２６の代わりに、タッチパネル５１が設けられている。そして、タッチパネル５１上において円弧状に指先を移動させることによって早送り又は巻戻し量を指示することができるようになっている。他の点については第１実施形態の場合と同様であり、図１〜図３はターンディスク１２及びロータリエンコーダ２６をタッチパネル５１に置き換えて、そのまま本実施形態を示すものとして用いられる。すなわち、本実施形態においても、タッチパネル５１上において指先を円弧状に１／４回転、半回転、又は１回転分移動させることにより、１５秒、３０秒、又は１分だけ、回転方向に応じて早送り又は巻戻しを行うことができる。
【００２８】
これを実現するために、処理部２１は、記憶部２２の楽曲データに基づいて楽曲の再生を行っているとき、タッチパネル５１が操作されると、タッチパネル５１からの座標値の出力に基づき、指先の移動軌跡である円弧形状について、その中心角αを算出する。さらに、得られた中心角αを、上述と同様の離散量である１／４回転、半回転、又は１回転に変換する。たとえば、２２．５度≦α＜６７．５度であれば、１／４回転に変換する。そして、得られた１／４回転、半回転、又は１回転に応じ、それぞれ１５秒、３０秒、又は１分だけ、指先の移動軌跡が時計周りであれば早送りし、反時計周りであれば巻戻しを行う。そして、変更した再生位置から再生を続行する。
【００２９】
なお、指先の移動により円弧形状の軌跡を形成しやすいように、タッチパネル５１は図１のタッチディスク１２と同様の環状の形状を有しているのが好ましい。また、タッチパネル５１上の所定の各点がタッチされたかどうかにより、中心角αを求めることなく、直接１／４回転、半回転、又は１回転といった離散量を取得するようにしてもよい。たとえば、タッチパネル５１において、指先の移動による円弧形状の形成が予定される環状の領域を、その円周方向において所定数に分割した小領域を定義しておき、指先の移動により連続的に幾つの小領域が順次タッチされたかに基づき、１／４回転、半回転、又は１回転といった離散量を取得するようにしてもよい。
【００３０】
本実施形態によれば、図１〜図３の実施形態と同様の効果を得ることができる。また可動部が存在しないため、より簡便な構成で、同様の効果を得ることができる。
【００３１】
図６は本発明の第３の実施形態に係るデジタルオーディオプレーヤにおけるタッチパネル部分を示す図である。このプレーヤは、タッチパネル５１に代えてタッチパネル６１を採用すること以外については、第２実施形態の場合と同様の構成を備える。本実施形態においても第２実施形態の場合と同様に、タッチパネル６１上において指先の移動により形成される円弧形状の中心角に応じた量を所定の離散量に変換し、得られらた離散量に対して予め対応付けられた量だけ早送り又は巻戻しを行うようにしている。第２実施形態の場合と異なるのは、円弧形状の半径に応じて、早送り又は巻戻し量の単位が変化する点である。
【００３２】
すなわち、図６に示されるように、円弧形状の半径がＲ１であれば早送り又は巻戻し量の単位は「秒」、Ｒ２であれば「１０秒」、Ｒ３であれば「分」となる。タッチパネル６１上には、半径Ｒ１、Ｒ２、Ｒ３の目安となるような環状のライン及び対応する単位を示す「１ｓ」（１秒）、「１０ｓ」（１０秒）、及び「１Ｍ」（１分）が描かれている。たとえば、指先の移動により形成された円弧形状に基づいて得られた離散量が１／４回転であるとすれば、早送り又は巻戻し量は、その円弧形状の半径がＲ１であれば１５秒、Ｒ２であれば１５０秒、Ｒ３であれば１５分となる。ただし、半径Ｒ１、Ｒ２、Ｒ３は、指先により区別可能なように十分な間隔を置いて離散的である必要がある。
【００３３】
処理部２１は、実際に描かれた円弧形状の半径を平均化して取得し、四捨五入的に、半径Ｒ１、Ｒ２、又はＲ３のいずれかに丸めることにより、半径Ｒ１、Ｒ２、Ｒ３のいずれが指先により形成されたのかを判定し、上述の単位を決定する。なお、半径Ｒ１、Ｒ２、Ｒ３の環状領域を分離する物理的な境界を設けるようにしてもよい。この場合には、指先はいずれかの環状領域内において円弧形状を形成するように案内される。つまり、物理的に丸めが行われることになる。
【００３４】
本実施形態によれば、第２実施形態の場合と同様の効果が得られることに加え、早送り又は巻戻し量の単位を指示し、選択できる早送り又は巻戻し量の自由度を向上させることができる。その際、半径Ｒ１、Ｒ２、Ｒ３を十分な間隔を置いて離散的な値としたため、指先により、確実に所望の単位を選択することができる。
【００３５】
なお、上述の「１ｓ」（１秒）、「１０ｓ」（１０秒）、及び「１Ｍ」（１分）の単位を、１回転当りの単位とするようにしてもよい。すなわち、単位が「１ｓ」の場合、早送り又は巻戻し量は、１／４回転のとき１／４秒、半回転のとき１／２秒、１回転のとき１秒となる。単位が「１０ｓ」の場合、１／４回転のとき２．５秒、半回転のとき５秒、１回転のとき１０秒となる。単位が「１Ｍ」の場合、１／４回転のとき１５秒、半回転のとき３０秒、１回転のとき１分となる。
【００３６】
図７は本発明の第４の実施形態に係るデジタルオーディオプレーヤにおけるタッチパネル部分を示す図である。このプレーヤの構成は、タッチパネル４１に代えてタッチパネル７１を採用したこと以外については第２実施形態の場合と同様である。本実施形態においても第２実施形態の場合と同様に、タッチパネル７１上において指先の移動により形成される円弧形状の中心角に応じた量を所定の離散量に変換し、得られた離散量に対応付けられた量だけ早送り又は巻戻しを行うようにしている。第２実施形態の場合と異なるのは、指先の移動速度に応じて、早送り又は巻戻し量の単位が変化する点である。
【００３７】
すなわち、処理部２１は、タッチパネル７１の出力に基づき、移動速度が所定の低速度ＶＬであれば早送り又は巻戻し量の単位を「秒」とし、所定の中速度ＶＭであれば「１０秒」とし、所定の高速度ＶＨであれば「分」とする。したがって、たとえば指先の移動により形成された円弧形状に基づいて得られた離散量が１／４回転であるとすれば、早送り又は巻戻し量は、その円弧形状を形成する際の指先の移動速度が低速度ＶＬであれば１５秒、中速度ＶＭであれば１５０秒、高速度ＶＨであれば１５分となる。ただし、速度ＶＬ、ＶＭ、及びＶＨは、指先により区別可能なように十分な間隔を置いて離散的である必要がある。処理部２１は、実際に円弧形状に移動された指先の移動速度を平均化し、四捨五入的に、速度ＶＬ、ＶＭ、又はＶＨのいずれかに丸めた値として取得し、上述の単位の決定を行う。
【００３８】
また、本実施形態においては、処理部２１は、早送り又は巻戻し量を指示するために指先が最初にタッチされた位置において「０」を表示し、さらにその後の指先の移動方向に応じ、それを基準とする１／４回転毎に「１５」、「３０」、「４５」の目盛りを表示する。この目盛りの表示はディスプレイ１４を用いて行われる。図７においては、ちょうど時計の１２時の位置がタッチされ、時計回りに指の移動が開始された場合を示しており、３時、６時、及び９時の位置においてそれぞれ「１５」、「３０」、「４５」が表示されている状態が示されている。指の移動が反時計回りに開始された場合には９時、６時、及び３時の位置においてそれぞれ「１５」、「３０」、「４５」が表示されることになる。３時の位置が最初にタッチされた場合には、その位置が「０」の表示位置となる。この目盛りは、ユーザが所望の早送り又は巻戻し量を指示する際の目安となる。たとえば、４５秒だけ早送りするために、図７のようにちょうど時計の０時の位置から指の移動を時計回りに開始した場合には、そのときに表示された「４５」の近傍まで指先を低速度ＶＬで時計回りに移動させればよい。１５分だけ巻戻したい場合には、たとえば６時の位置から指先の移動を反時計回りに開始し、３時の位置に表示された「１５」近傍まで、高速度ＶＨで指先を移動させればよい。なお、巻戻しの場合には、それがわかるように、「−１５」、「−３０」、「−４５」のように、各目盛りの数値に対してマイナス記号を付するようにしてもよい。
【００３９】
本実施形態によれば、第３実施形態の場合と同様の効果を得ることができる。また、操作に慣れていない場合には、指先をタッチしたときに、その位置を基準として表示される上述の目盛りを参照して、早送り又は巻戻し量を指示することができる。
【００４０】
図８は本発明の第５の実施形態に係るデジタルプレーヤにおけるターンディスク部分を示す。このプレーヤは、第１実施形態におけるロータリエンコーダ２６に代えて、回転軸を、軸方向における第１の位置及び第２の位置間で切り替えることができるともに、第２の位置においてはセルフリターン機能を有するロータリエンコーダを採用している。他の構成は第１実施形態の場合と同様である。このロータリエンコーダの回転軸が前記第１の位置にある場合には、図８（ａ）のように、ターンディスク１２の位置は低位置となる。第２の位置にある場合には、図８（ｂ）のように、ターンディスク１２の位置は高位置となる。高位置及び低位置間の切替えは、ターンディスク１２を指先で引き上げたり、押し込んだりすることにより行うことができるようになっている。
【００４１】
ターンディスク１２の位置が図８（ａ）の低位置にあるとき、第１実施形態の場合と同様にして、ロータリエンコーダからのパルス数に基づき、ターンディスク１２上における指先の移動により形成される円弧形状の中心角に対応する量を、所定の離散量に丸めたものとして取得し、得られた離散量に対応付けられた量だけ早送り又は巻戻しが行われる。一方、ターンディスク１２が図８（ｂ）の高位置にある場合、同様にして指先の移動により形成される円弧形状の中心角に対応する離散量が取得されるが、得られた離散量に対応する早送り又は巻戻し量に対し、低位置にある場合とは異なる単位が適用される。
【００４２】
すなわち、図８（ａ）の低位置においてターンディスク１２が操作され場合には早送り又は巻戻し量の単位として「秒」が適用され、図８（ｂ）の高位置において操作され場合には「１０秒」又は「分」が適用される。したがって、制御部２１は、図８（ａ）の低位置においてターンディスク１２が操作され場合、ロータリエンコーダの出力を、第１実施形態の場合と同様に、１／４回転、半回転、又は１回転に変換し、そして、それぞれ１５秒、３０秒、又は１分だけ、回転方向に応じて早送り又は巻戻しを行う。一方、図８（ｂ）の高位置において操作され場合にも同様に、１／４回転、半回転、又は１回転への変換を行うが、これらの離散量に対し、単位を「１０秒」とする場合にはそれぞれ１５０秒、３００秒、又は１０分だけ、単位を「分」とする場合にはそれぞれ１５分、３０分、又は１時間だけ、回転方向に応じて早送り又は巻戻しを行う。そして、変更した再生位置から再生を続行する。
【００４３】
図８（ｂ）の高位置において操作された場合の単位を「１０秒」又は「分」のいずれかにするかは、操作部２３において設定することができる。なお、本実施形態におけるロータリエンコーダは、図８（ｂ）の高位置においては、セルフリターン機能を備えているので、ターンディスク１２は常に同一の角度位置から操作されることになる。
【００４４】
本実施形態によれば、第１実施形態における場合と同様の効果に加え、ターンディスク１２を低位置又は高位置とするかによって早送り又は巻戻し量の単位を指示し、選択できる早送り又は巻戻し量の自由度を向上させることができる。その際、ターンディスク１２を低位置又は高位置に設定する操作は、指先により、確実かつ容易に行うことができるので、単位の選択を確実かつ容易に行うことができる。
【００４５】
なお、本発明は、上述実施形態に限定されることなく適宜変形して実施することができる。たとえば、上述においては言及しなかったが、図９（ａ）のように、複数種類の早送り又は巻戻し量を直接指示するための操作キー９１を備えたリモコンや、図９（ｂ）のように、複数種類の早送り又は巻戻し量を直接指示するためのバー形式の操作部９２を備えたリモコンを備えるようにしてもよい。
【００４６】
また、スピーカ１３を取外し式のものとしてもよい。また、ターンディスク１２を回転させるとき、時計の秒針のように、１秒単位でカチカチと手応えを感じるような仕組みとしてもよい。
【図面の簡単な説明】
【００４７】
【図１】本発明の第１の実施形態に係るデジタルオーディオプレーヤの四面図である。
【図２】図１のデジタルオーディオプレーヤの構成を示すブロック図である。
【図３】図１のプレーヤにおけるターンディスクの回転量と、早送り又は巻戻し時間との関係を示す図である。
【図４】図１のプレーヤにおけるロータリエンコーダ及びターンディスクを示す図である。
【図５】本発明の第２の実施形態に係るデジタルオーディオプレーヤにおけるタッチパネル部分を示す図である。
【図６】本発明の第３の実施形態に係るデジタルオーディオプレーヤにおけるタッチパネル部分を示す図である。
【図７】本発明の第４の実施形態に係るデジタルオーディオプレーヤにおけるタッチパネル部分を示す図である。
【図８】本発明の第５の実施形態に係るデジタルプレーヤにおけるターンディスク部分を示す図である。
【図９】本発明の変形例に係るリモコンを示す図である。
【符号の説明】
【００４８】
１１：コントロールエリア、１２：ターンディスク、１３：スピーカ、１４：ディスプレイ、１５：バッテリ、１６：プロテクトフレーム、１７：ハンドル、２１：処理部、２２：記憶部、２３：操作部、２４：表示部、２５：音声出力部、２６：ロータリエンコーダ、５１，６１，７１：タッチパネル、９１：操作キー、９２：操作部。
【図１】
2009238309.tif 000003
【図２】
2009238309.tif 000004
【図３】
2009238309.tif 000005
【図４】
2009238309.tif 000006
【図５】
2009238309.tif 000007
【図６】
2009238309.tif 000008
【図７】
2009238309.tif 000009
【図８】
2009238309.tif 000010
【図９】
2009238309.tif 000011